(57)【要約】【課題】  本発明の目的は、車幅方向に延びる長円形の周回移送経路に沿って周回して供給された苗を所定位置まで順次移送する多数の苗移送カップを備える苗移送装置と、リンク機構により昇降する苗植付け体を各々備える左右の苗植付装置により、所定の植付条間で千鳥植えできる苗移植機を提供することにある。【解決手段】  左右の苗植付け体（４ｂ）により所定の植付条間（Ｌ）で千鳥植えする構成とし、苗移送装置は、車幅方向に延びる長円形の周回移送経路（Ｔ）に沿って周回して供給された苗を所定位置まで順次移送する多数の苗移送カップ（３ｃ）を備え、苗移送カップ（３ｃ）の配列ピッチを植付条間（Ｌ）に対して前記配列ピッチの半分ずらせて左右の苗植付け体（４ｂ）へ苗移送カップ（３ｃ）から苗を交互に供給する構成とした。【選択図】      図２
2011125343.tif 000002
【特許請求の範囲】
【請求項１】
機体を走行可能に支持する左右の走行支持部（６，６）と、供給された苗を所定位置まで順次移送する苗移送装置（３）と、この苗移送装置（３）により移送された苗を植付ける左右の苗植付装置（４）とを備える苗移植機において、左右の苗植付装置（４）はリンク機構（４ａ）により昇降する苗植付け体（４ｂ）を各々備え、左右の苗植付け体（４ｂ）により所定の植付条間（Ｌ）で千鳥植えする構成とし、苗移送装置（３）は、車幅方向に延びる長円形の周回移送経路（Ｔ）に沿って周回して供給された苗を所定位置まで順次移送する多数の苗移送カップ（３ｃ）を備え、苗移送カップ（３ｃ）の配列ピッチ（ｐ）を植付条間（Ｌ）に対して前記配列ピッチ（ｐ）の半分ずらせて左右の苗植付け体（４ｂ）へ苗移送カップ（３ｃ）から苗を交互に供給する構成としたことを特徴とする苗移植機。
【請求項２】
左右の走行支持部（６，６）が圃場の畝を跨いで走行し、苗移送装置（３）へ左右の走行支持部（６，６）の後方から苗を歩行供給し、左右の走行支持部（６，６）が跨ぐ範囲内の圃場に苗植付装置（４）で苗を植付ける構成とし、苗移送装置（３）は、周回移送経路（Ｔ）が少なくとも左右何れかの走行支持部（６，６）の外側方に突出し、その突出寸法を同走行支持部（６，６）から苗植付装置（４）の苗植付け位置までの車幅方向の距離以上に設定したことを特徴とする請求項１に記載の苗移植機。
【請求項３】
ミッションケース（３ｍ）の外側にリンク機構（４ａ）を配置し、該リンク機構（４ａ）の内側に苗植付け体（４ｂ）を配置したことを特徴とする請求項１又は請求項２に記載の苗移植機。
【発明の詳細な説明】
【技術分野】
【０００１】
本発明は、左右の走行支持部と苗植付部とを備えて構成され、圃場を走行しつつ苗を植付ける苗移植機に関するものである。
【背景技術】
【０００２】
特許文献１に示されるように、圃場の畝を跨ぐ左右の走行支持部と、投入された苗を順次移送する苗移送装置と、個々の苗を圃場に植付けする苗植付装置とを備えて圃場を走行しつつ苗を植付ける歩行供給型の苗移植機が知られている。
【０００３】
上記苗移植機は、車幅方向に延びる長円形の移送経路に沿って周回する移送カップを備える苗移送装置が、左右の走行支持部の後方の畝間を歩行する作業者から苗の投入供給を受けて所定位置まで移送し、これを苗植付装置に順次受け渡しすることにより、圃場を走行しつつ苗を植付けすることができる（特許文献１参照）。
【先行技術文献】
【特許文献】
【０００４】
【特許文献１】特開２００５−２１０６０号公報
【発明の概要】
【発明が解決しようとする課題】
【０００５】
しかしながら、上記苗移植機は、作業者が苗移送装置に正確に苗を投入供給するべく、苗移送装置の車幅方向寸法の限定された範囲内を追従歩行する必要があり、かつ、苗移送装置に対する投入範囲が限定されていることから作業性の低下を招くという問題があった。
【０００６】
本発明の目的は、苗を投入供給するための作業範囲を十分に確保することによって作業性を向上することができる苗移植機を提供することにある。また、車幅方向に延びる長円形の周回移送経路に沿って周回して供給された苗を所定位置まで順次移送する多数の苗移送カップを備える苗移送装置と、リンク機構により昇降する苗植付け体を各々備える左右の苗植付装置により、所定の植付条間で千鳥植えできる苗移植機を提供することにある。
【課題を解決するための手段】
【０００７】
請求項１の発明は、機体を走行可能に支持する左右の走行支持部（６，６）と、供給された苗を所定位置まで順次移送する苗移送装置（３）と、この苗移送装置（３）により移送された苗を植付ける左右の苗植付装置（４）とを備える苗移植機において、左右の苗植付装置（４）はリンク機構（４ａ）により昇降する苗植付け体（４ｂ）を各々備え、左右の苗植付け体（４ｂ）により所定の植付条間（Ｌ）で千鳥植えする構成とし、苗移送装置（３）は、車幅方向に延びる長円形の周回移送経路（Ｔ）に沿って周回して供給された苗を所定位置まで順次移送する多数の苗移送カップ（３ｃ）を備え、苗移送カップ（３ｃ）の配列ピッチ（ｐ）を植付条間（Ｌ）に対して前記配列ピッチ（ｐ）の半分ずらせて左右の苗植付け体（４ｂ）へ苗移送カップ（３ｃ）から苗を交互に供給する構成としたことを特徴とする苗移植機とする。
【０００８】
請求項２の発明は、左右の走行支持部（６，６）が圃場の畝を跨いで走行し、苗移送装置（３）へ左右の走行支持部（６，６）の後方から苗を歩行供給し、左右の走行支持部（６，６）が跨ぐ範囲内の圃場に苗植付装置（４）で苗を植付ける構成とし、苗移送装置（３）は、周回移送経路（Ｔ）が少なくとも左右何れかの走行支持部（６，６）の外側方に突出し、その突出寸法を同走行支持部（６，６）から苗植付装置（４）の苗植付け位置までの車幅方向の距離以上に設定したことを特徴とする請求項１に記載の苗移植機とする。
請求項３の発明は、ミッションケース（３ｍ）の外側にリンク機構（４ａ）を配置し、該リンク機構（４ａ）の内側に苗植付け体（４ｂ）を配置したことを特徴とする請求項１又は請求項２に記載の苗移植機とする。
【発明の効果】
【０００９】
請求項１に記載の苗移植機は、苗移送カップ（３ｃ）の配列ピッチ（ｐ）を植付条間（Ｌ）に対して前記配列ピッチ（ｐ）の半分ずらせているので、左右の苗植付け体（４ｂ）へ苗移送カップ（３ｃ）から苗を交互に供給してスムーズに受け渡しすることができ、所定の植付条間（Ｌ）で千鳥植えできる。
請求項２に記載の苗移植機は、請求項１に記載の苗移植機の効果に加えて、苗移送装置（３）が走行支持部（６，６）の外側方に大きく突出することから、この突出する外側範囲を含めて苗の投入供給が可能となる。したがって、苗の投入供給のための作業位置と苗移送装置（３）に対する苗の投入範囲が広く確保されて作業性を向上することができる。
請求項３に記載の苗移植機は、請求項１又は請求項２に記載の苗移植機の効果に加えて、植付条間を狭く設定できる。
【図面の簡単な説明】
【００１０】
【図１】苗移植機（第１例）の側面図である。
【図２】図１の苗移植機の平面図である。
【図３】図１の苗移植機の要部背面図である。
【図４】苗移植機（第２例）の側面図である。
【図５】図４の苗移植機の平面図である。
【図６】図４の苗移植機の要部背面図である。
【図７】苗移植機（第３例）の側面図である。
【図８】図７の苗移植機の要部背面図である。
【図９】フレームの要部斜視図である。
【図１０】拡大平面図である。
【発明を実施するための形態】
【００１１】
この発明の一実施形態としての苗移植機を以下に説明する。尚、以下の図示例についての説明で前又は後というときは、エンジン５を配置した側を前とし、その反対側、即ち操縦ハンドル２を配置した側を後とする。そして、右又は左というときは、機体後部において機体前部側を前側として立つ作業者から見て右手側を右とし、左手側を左とする。
【００１２】
図１〜図３は、それぞれ、苗移植機の側面図、平面図、背面図である。
【００１３】
本例の苗植付機は、前進走行を可能とする機体１と、この機体１から延びるハンドルフレーム２ｂの後部に設けた歩行操縦用の操縦ハンドル２と、圃場に苗を植付ける苗植付装置４と、この苗植付装置４に苗を供給移送する苗移送装置３を備えた構成としている。
【００１４】
機体１は、図示例では、エンジン５と、該エンジン５の動力が伝達されて駆動回転する左右一対の駆動車輪である後輪６，６と、該後輪６，６の前方に転動自在に支持した左右一対の前輪７，７とを備えたものとしている。エンジン５の後部には、ミッションケース８を配置し、そのミッションケース８は、その片側部からエンジン５の同側方に延びるケース部分を有し、これがエンジン５の片側部と連結している。このケース部分にエンジン５の出力軸が入り込んでミッションケース８内の伝動機構に動力を伝達する構成となっている。
【００１５】
ミッションケース８の両側部には、左右の後輪伝動ケース９，９を回動自在に取り付けてその後端部に後輪６，６を高さ位置調節可能に支持することにより上下調節支持機構を構成する。具体的には、後輪伝動ケース９，９の前端部からアクスルケース９ａ，９ａを機体中心側に延ばし、このアクスルケース９ａ，９ａをミッションケース８の左右両側部に回動自在に取付けている。そして、この後輪伝動ケース９，９の後部側方に突出させた車軸１０、１０に後輪６，６を装着している。後輪伝動ケース９，９の前端部の回動軸心Ｘ位置には、ミッションケース８から左右両外側方に延出させた車輪駆動軸が入り込んで、ミッションケース８内の走行部系変速伝動部を経た走行用の動力が左右の後輪伝動ケース９，９内の伝動機構に伝達している。そして、走行用の動力は後輪伝動ケース９，９内の伝動機構を介して、後輪伝動ケース９，９の後端側の車軸１０，１０に伝動し、後輪６，６が駆動回転するようになっている。
【００１６】
なお、アクスルケース９ａ，９ａは、畝幅に対応して左右に伸縮調節可能に設けている。また、アクスルケース９ａ，９ａを支持するために、アクスルケース９ａ，９ａと略平行する状態で支持フレーム９ｂ、９ｂをミッションケース８に固着していて、その支持フレーム９ｂ、９ｂの外端部に固着した支持プレート９ｃ、９ｃでアクスルケース９ａ，９ａの外側部を回動自在に支持している。
【００１７】
また、左右のアクスルケース９ａ，９ａには、後輪伝動ケース９，９の前部側を回動支点として後輪６，６を上下させるよう上下回動する駆動手段が連結している。具体的には、左右のアクスルケース９ａ，９ａには上方に延びるアーム１１，１１を一体的に取り付けて、これがミッションケース８に固定された昇降用油圧シリンダ１２のピストンロッド先端に取り付けた連結体１３の左右両側部と連結している。左右一方側（図例では右側）は、ロッド１４で連結し、他方側（左側）は、機体の傾斜に応じて伸縮作動可能な左右水平制御用油圧シリンダ１５で連結している。
【００１８】
昇降用油圧シリンダ１２が作動してそのピストンロッドが機体後方に突出すると、左右の前記アーム１１，１１は後方に回動し、これに伴い後輪伝動ケース９，９が下方に回動して、機体が上昇する。反対に、昇降用油圧シリンダ１２のピストンロッドが機体前方に移動してシリンダ１２内に引っ込むと、左右の前記アーム１１，１１は前方に回動し、これに伴い後輪伝動ケース９，９が上方に回動して機体が下降する。この昇降用油圧シリンダ１２は、畝面に接地して機体と畝面との上下問隔の変動にともなって動作するセンサーＳによって作動する。
【００１９】
センサーＳの動作は機体１に対する畝上面高さを検出する動作となり、そのセンサーＳの検出動作に基いて機体１を畝上面高さに対して設定高さになるよう昇降用油圧シリンダ１２が作動するよう構成している。また、操縦ハンドル２近傍に配置した操作具の人為操作によって機体を上昇或は下降させるよう昇降用油圧シリンダ１２が作動する構成ともしている。
【００２０】
また、前記左右水平制御用油圧シリンダ１５が伸縮作動すると、その左右水平制御用油圧シリンダ１５と連結する左側のアーム１１が回動して、左右の後輪６，６を互いに異なる高さにし、機体を左右に傾斜させる。この左右水平制御用油圧シリンダ１５は、左右水平に対する機体の左右傾斜を検出するセンサの検出結果に基づいて機体を左右水平になるように作動するよう構成している。
【００２１】
前記左右前輪７，７は、エンジン５下方の車幅中心軸線周りに回動自在に取り付けた横フレーム１６の左右両側部に縦フレーム１６ａ，１６ａを取付け、その下端部側方に固着した車軸１７，１７に取り付けている。従って、左右の前輪７，７は、車幅中心軸線周りにローリング動作自在となっている。縦フレーム１６ａ，１６ａは上下調節可能に設けていて、前輪７，７の高さ調節をすることができるようになっている。
【００２２】
上記機体１は四輪構成としたものであるが、左右一対の駆動輪のみの２輪構成の走行支持でもよいし、前輪の替わりに畝上面を転動する鎮圧輪としてもよい。また、クローラー式の走行装置としてもよい。
【００２３】
前記操縦ハンドル２は、機体後部に設けていて、後輪６，６の車軸１０，１０より後方に位置している。具体的には、ミッションケース８に前端部を固定したハンドルフレーム２ｂの後端部に取り付けている。ハンドルフレーム２ｂは、車幅中央位置に配置されて後輪６，６の位置まで低位で延出し、次第に立ち上がりつつ傾斜して後方に延びている。
【００２４】
操縦ハンドル２は、ハンドルフレーム２ｂの後端部から左右に分かれて後方に延び、その各後端部を操縦ハンドル２のグリップ部２ａ，２ａとしている。操縦ハンドル２の左右のグリップ部２ａ，２ａは、作業者が楽に手で握れるように適宜高さに設定する。なお、図例ではグリップ部２ａ，２ａを左右に分かれた構成としているが、操縦ハンドル２の左右の後端部を互いに左右に連結してその連結部分をグリップ部としても良い。
【００２５】
苗植付部は、苗移送装置３および２条植え用の左右の苗植付装置４，４をハンドルフレーム２ｂに取付けて構成する。その植付け動作において、後輪６，６の支持高さを畝高さに合わせて変更し、ハンドルフレーム２ｂの高さ位置を上下に調節することにより、苗の植付け深さを一定に維持することができる。
【００２６】
苗植付部について詳細に説明すると、苗移送装置３は、車幅方向に延びる長円形状の移送経路Ｔに沿って周回駆動される多数の苗移送カップ３ｃ…を備え、その移送経路Ｔは少なくとも左右何れかの走行支持部６，６の外側方に突出し、その突出寸法が同走行支持部６，６から苗の植付け位置までの車幅方向距離以上に構成する。多数の苗移送カップ３ｃ…はカップ底を開閉可能に構成し、移送経路Ｔに沿って連結駆動されることにより歩行供給された苗を所定位置まで順次移送し、開放されたカップ底から苗を投下して苗植付装置４に供給するように構成する。
【００２７】
各苗植付装置４，４は、ハンドルフレーム２ｂに設けたステー３ｓを介して取付けたミッションケース３ｍによって伝動支持されて昇降駆動するリンク機構４ａと連結して昇降動作する開閉可能なくちばし状の苗植付け体４ｂにより構成し、これを機体後部の左右の走行支持部６，６が跨ぐ範囲内に左右に配置することにより、植付条間にフレーム２ｂを配置した構成としながら植付条間を狭く設定でき、苗移送装置３から苗を受けて圃場に苗を植付けする。この苗植付装置４，４を千鳥植えで１畝について２条のレタス移植を行うように構成する。各リンク機構４ａ，４ａはミッションケース３ｍの外側に配置し、そのリンク機構４ａ，４ａの内側に苗植付け体４ｂ、４ｂを配置する。苗植付装置４，４には、オペレータの邪魔にならないように中央下部を覆うカバー４ｃを設ける。
【００２８】
苗移送装置３の具体的な構成例として、植付け位置から苗移送装置３の外側端までの長さＭを条間距離Ｌに対して略２倍とすることにより、機体後部に植付け位置があっても、苗の投入位置から植付位置までの苗移送カップ３ｃの移送距離が長くとれるので、苗の投入作業上の余裕を確保することができる。また、条間距離Ｌが苗移送カップ３ｃの配列ピッチｐの３．５倍程度とすることにより、左右の苗植付け体４ｂ，４ｂに苗移送カップ３ｃから苗を交互に排出する際に半コマのずれによって苗排出の位置が合い、千鳥植えの際にスムーズに受け渡しすることができる。
【００２９】
上記構成の苗移植機は、苗移送装置３が走行支持部６，６の外側方に大きく突出し、その車幅方向寸法の範囲内で苗の投入供給が可能となる。したがって、苗の投入供給のための作業位置と投入範囲の自由度が確保されて作業性を向上することができる。また、苗移送装置３は、走行支持部６，６の両外側方に同様に構成することにより、機体の左右バランスが確保されるので、植付姿勢の安定化を図るとともに、傾斜地における安全性を向上することができる。
【００３０】
次に、苗移植機の別の構成例（第２例）について説明する。以下において、前記同様の部材はその符号を付すことにより説明を省略する。
【００３１】
図４〜図６は、それぞれ苗移植機の側面図、平面図、要部背面図を示す。
【００３２】
この苗植付部の伝動系は、車幅中央配置のミッションケース３ｍまで下から上に傾斜する植付伝動シャフト３ｔにより動力を受け、この植付伝動シャフト３ｔは後部を中央に寄せて外側から中央に伝動し、また、油圧シリンダ１２は後部を下位にして上から下へ傾斜して配置し、油圧シリンダは動くが上下方向で逃げるように、植付伝動シャフト３ｔと連結体１３とが機体平面視で交差（重複）配置とすることにより、植付伝動シャフト３ｔと連結体１３とが干渉しないようにしながら機体のコンパクト化を図ることができる。
【００３３】
苗移送装置３は、車幅方向に延びる伝動シャフト３ｒで苗移送カップ３ｃ…を周回駆動する。その両サイドにパイプを出し、回転軸部とつなぐことで苗移送カップ３ｃ…のフレームを構成する。苗移送カップ３ｃ…の周回経路の両サイドの回転軸を伝動シャフト３ｒで駆動するように構成することにより、上方をつなぐチェーンが不要となり、フレームも兼ねることができる。
【００３４】
機体上部には、苗を予備的に置いておくための苗台４１を苗移送装置３の前側位置に取付ける。ハンドルフレーム２ｂ、ミッション３ｍと苗台４１とを連結して補助苗台のステー４１ａ，４１ｂを強度メンバーとして構成する。この強度メンバーは側面視で枠状となることから強度を確保することができる。
【００３５】
また、ミッション３ｍは、図７の側面図、図８の要部背面図に示すように、上下に分離可能とし、分離部分はギヤ伝達構成とすることにより、苗移送装置３のワンタッチ着脱が可能となる。
【００３６】
ミッションステー３ｓには、図９の要部斜視図および図１０の拡大平面図に示すように、植付深さ調節レバー２ｄ、油圧シリンダステー１２ｓを一緒に取付けることにより、シンプルで安価に構成することができる。植付深さ調節レバー２ｄはミッション３ｍ下部を通して配置することにより、植付リンク４ａとの干渉を避けて後方へシンプルな形で構成することができる。
【符号の説明】
【００３７】
１：機体、３：苗移送装置、３ｍ：ミッションケース、３ｃ：苗移送カップ、４：苗植付装置、４ａ：リンク機構、４ｂ：植付け体、６：後輪（走行支持部）、Ｌ：条間距離、Ｔ：移送経路、ｐ：配列ピッチ
【図１】
2011125343.tif 000003
【図２】
2011125343.tif 000004
【図３】
2011125343.tif 000005
【図４】
2011125343.tif 000006
【図５】
2011125343.tif 000007
【図６】
2011125343.tif 000008
【図７】
2011125343.tif 000009
【図８】
2011125343.tif 000010
【図９】
2011125343.tif 000011
【図１０】
2011125343.tif 000012